(57)【要約】【課題】  靴の衛生状態を保つ乾燥剤袋を収容すると共に靴磨き具として使用できる携帯型の靴磨き兼用乾燥剤収容体を提供する。【解決手段】  靴磨き兼用乾燥剤収容体は、２枚の可撓性のシート６を合わせて形成された偏平な収容袋５と、靴の内部に挿入可能な形状を有し且つ内部に乾燥剤が封入された乾燥剤袋１を備え、前記乾燥剤袋１は前記収容袋５に取り出し可能に収容され、前記収容袋５を構成する少なくとも一方の前記シート６は靴磨きシート７で構成され、乾燥剤を取り出した状態の前記収容袋５に手を差し込んで前記靴磨きシート７で靴を磨けるように構成される。【選択図】        図３
0003132618.tif 000002
【実用新案登録請求の範囲】
【請求項１】
２枚の可撓性のシート６を合わせて形成された偏平な収容袋５と、靴の内部に挿入可能な形状を有し且つ内部に乾燥剤が封入された乾燥剤袋１を備え、前記乾燥剤袋１は前記収容袋５に取り出し可能に収容され、前記収容袋５を構成する少なくとも一方の前記シート６は靴磨きシート７で構成され、乾燥剤袋１を取り出した状態の前記収容袋５に手を差し込んで前記靴磨きシート７で靴を磨けるように構成されていることを特徴とする靴磨き兼用乾燥剤収容体。
【請求項２】
請求項１において、前記収容袋５における靴磨きシート７は不織布で形成されていることを特徴とする靴磨き兼用乾燥剤収容体。
【請求項３】
請求項１または請求項２において前記収容袋５における靴磨きシート７以外の前記シート６は透明または半透明なプラスチックシートで形成されていることを特徴とする靴磨き兼用乾燥剤収容体。
【請求項４】
請求項１ないし請求項３のいずれかにおいて、前記収容袋５には２つの乾燥剤袋１が収容されることを特徴とする靴磨き兼用乾燥剤収容体。
【請求項５】
請求項１ないし請求項４のいずれかにおいて、前記乾燥剤は抗菌剤および消臭剤の少なくとも一つを含むことを特徴とする靴磨き兼用乾燥剤収容体。
【考案の詳細な説明】
【技術分野】
【０００１】
本考案は収容袋に靴の乾燥剤袋を収容した靴磨き兼用乾燥剤収容体に関する。
【背景技術】
【０００２】
外出に欠かせない靴は、長時間履くと内部の湿気によりバクテリアが増殖する環境となり衛生上好ましくない。また足から出る汗や増殖した腐敗菌群などによる特有の臭気も発生する。靴内のバクテリアの増殖を抑制して衛生状態を良好に保つには、脱いだ靴内を乾燥させることが有効である。乾燥にはシリカゲルなどの乾燥剤が使用できる。靴専用の乾燥剤袋も市販されていない。
【０００３】
一方、外出時に簡便に靴を磨く用具が例えば特許文献１に記載されている。この靴磨き用具は偏平状の磨き袋に差込口を設け、その差込口から手を入れて磨き袋の表面で靴をこすって磨くようになっている。
【０００４】
【特許文献１】特開２００２−１５９４３２号公報
【考案の開示】
【考案が解決しようとする課題】
【０００５】
特許文献１の靴磨き用具は、例えば旅行先のホテルに宿泊する際に履いていた靴を簡単に磨くことができる。またゴルフ場でゴルフプレーを終了した後、ゴルフ靴を磨く際にも便利である。一方、旅行に使用した靴やゴルフプレーに使用した靴の内部はかなり湿気が高くバクテリアも増殖した環境になっていることが多い。そこで、靴内に乾燥剤を挿入しておくことが望ましい。
【０００６】
しかし前記のように靴専用の乾燥剤袋は今のところ市販されていないので、他の用途に使用されている寸法の大きな乾燥剤袋を靴に無理やり押し込んで使用せざるを得ない。またそのような乾燥剤袋は靴磨き用具とは別に用意しなければならず面倒である。そこで本考案はこのような問題を解決することを課題とし、簡便な靴磨き兼用乾燥剤収容体を提供することを目的とする。
【課題を解決するための手段】
【０００７】
前記課題を解決する本考案の靴磨き兼用乾燥剤収容体は、２枚の可撓性のシートをあわせて形成した偏平な収容袋と、靴の内部に挿入可能な形状を有し且つ内部に乾燥剤を封入した乾燥剤袋を備えている。そして乾燥剤袋は収容袋に取り出し可能に収容され、収容袋を構成する少なくとも一方の前記シートは靴磨きシートで構成され、乾燥剤袋を取り出した状態の収容袋に手を差し込んで靴磨きシートで靴を磨けるように構成されていることを特徴とする（請求項１）。
【０００８】
上記靴磨き兼用乾燥剤収容体において、前記収容袋における靴磨きシートを不織布で形成することができる（請求項２）。
【０００９】
上記いずれかの靴磨き兼用乾燥剤収容体において、前記収容袋における靴磨きシート以外の前記シートは透明または半透明なプラスチックシートで形成することができる（請求項３）。
【００１０】
さらに上記いずれかの靴磨き兼用乾燥剤収容体において、前記収容袋には２つの乾燥剤袋を収容することができる（請求項４）。
【００１１】
さらに上記いずれかの靴磨き兼用乾燥剤収容体において、前記乾燥剤は抗菌剤および消臭剤の少なくとも一つを含ませたものとすることができる（請求項５）
【考案の効果】
【００１２】
本発明の靴磨き兼用乾燥剤収容体は、請求項１に記載のように、少なくとも一方の可撓性シートを靴磨きシートで形成した偏平な収容袋に乾燥剤袋を収容して構成され、乾燥剤袋を取り出した状態の収容袋に手を差し込んで靴磨きシート側で靴を磨けるように構成されている。このように構成した靴磨き兼用乾燥剤収容体は、靴の衛生状態を保つための専用の乾燥剤袋と靴磨き用具が兼用になっているので、携帯に面倒さがなくカバンなどに入れた際の占有容積が小さくなり、カバンへの収容や取り出し操作も一度で済む利点がある。また、収容袋から取り出した乾燥剤袋を靴に挿入することにより、靴内の湿気等を吸収してその衛生状態を良好に保つことができる。
【００１３】
上記靴磨き兼用乾燥剤収容体において、請求項２に記載のように、前記収容袋における靴磨きシートを不織布で形成することができる。不織布は極細の合成繊維などで作ることができるので、靴の磨き性が良好な靴磨きシートを安いコストで作ることができる。
【００１４】
上記いずれかの靴磨き兼用乾燥剤収容体において、請求項３に記載のように、前記収容袋における靴磨きシート以外の前記シートは透明または半透明なプラスチックシートで形成することができる。このようなプラスチックシートは内部に収容した乾燥剤袋を確認することができる上に安いコストで作ることができる。
【００１５】
さらに上記いずれかの靴磨き兼用乾燥剤収容体において、請求項４に記載のように、前記収容袋には２つの乾燥剤袋を収容することができる。このように２つの乾燥剤袋を収容すると、左右２つの靴と乾燥剤袋の数を一致させて便利性を高めることができる。
【００１６】
さらに上記いずれかの靴磨き兼用乾燥剤収容体において、請求項５に記載のように、前記乾燥剤は抗菌剤および消臭剤の少なくとも一つを含ませたものとすることができる。このようにすることにより使用者のニーズに合わせた最適な乾燥剤袋を用意できる。
【考案を実施するための最良の形態】
【００１７】
次に図面に基づいて本考案の最良の実施形態を説明する。図１は本考案の靴磨き兼用乾燥剤収容体を示す斜視図であり、図２はその乾燥剤袋の１例を示す図であり、（ａ）は乾燥剤袋の平面図、（ｂ）は乾燥剤袋の側面図である。乾燥剤袋１は可撓性のシート２を互いに接合して形成した偏平な袋３内に乾燥剤を封入して構成される。なお袋３は使用する靴内に容易に挿入可能な大きさとされる。
【００１８】
乾燥剤を封入した袋３を形成するシートは可撓性で透湿性や通気性を有する材料、例えば紙、不織布、織布などのシートを使用することができる。これらのシートは多数の細かい透過孔が無数に且つ網目状に形成されており、それら透過孔により良好な透湿性や通気性が発揮される。袋３を作るには、例えば２枚の可撓性のシートを構成する３つの周縁部分を互いに接着剤などで接合して一つの周縁のみ開口した袋を形成し、その開口部から乾燥剤を袋の内部に挿入し、最後に開口部を接着剤などで接合すればよい。なお図１には袋３に形成された帯状の接合部４が示されている。
【００１９】
袋３に封入する主要なものは乾燥剤である。乾燥剤としては、例えば粒状の酸化カルシウム、シリカゲルなどがある。酸化カルシウムは水（湿気）と反応するとCaO＋H2O= CaO (OH)２により水酸化カルシウムに変化し、反応により吸着した湿気を再び逃がすことがなく、乾燥力もシリカゲルの２倍程度あるので本考案に好適に使用できる。なお靴内の湿気は透湿性を有する袋３を通して乾燥剤に吸着される。
【００２０】
または乾燥剤には抗菌剤または消臭剤の少なくとも一つを含ませることもできる。抗菌剤としては、例えば市販のシメン系またはカルバミン酸系の粒状の抗菌剤を使用できる。これら抗菌剤は常温で徐々に気化してガス化し、そのガスが通気性を有する袋３を通過して靴中に拡散して靴の内側に付着するので、長期間安定した抗菌作用を靴に対して発揮できる。
【００２１】
消臭剤としては例えば粒状のヤシガラ活性炭を使用することができる。ヤシガラ活性炭は木炭や竹炭の２〜６倍の臭い成分の吸着力があるので、少ない量で効率よく防臭効果を発揮できる。ヤシガラ活性炭は乾燥剤としての機能も有しているので、前記乾燥剤の代わりに、またはその一部として利用することもできる。これら乾燥剤、抗菌剤および消臭剤を２種以上使用するときは、それらを均一に混合した状態で袋３に封入することが望ましい。なお靴内の臭気成分はガス状態で通気性の袋３を透過して消臭剤に吸着される。
【００２２】
一般的な乾燥剤は、正常な機能を発揮できる期間が１〜２ヶ月程度とされているが、乾燥剤袋１をそれ以上の期間使用せずに所持または保管する場合もある。そのような長期間の所持または保管後においても乾燥剤に正常な機能を発揮させるためには、乾燥剤袋１を密閉性で可撓性の保護袋に収容しておくことが望ましい。そのような保護袋として、透湿性や通気性を有しない密閉性に優れた可撓性のプラスチックシート、例えば透明または半透明なポリアミド、ポリエチレン、ポリエステルなどの可撓性のプラスチックシートで形成した偏平な袋を使用することができる。
【００２３】
図３は、図２に示す乾燥剤袋１を収容袋に収容した状態を示す図であり、（ａ）は収容袋の正面図、（ｂ）は（ａ）のＢ−Ｂ断面図である。収容袋５は２枚の可撓性のシート６を合わせて形成され、本実施形態では一方のシート２が不織布で作られた靴磨きシート７とされ、他方のシート６が透明または半透明なプラスチックシートとされる。なお２枚のシート６をいずれも靴磨きシート７に形成することもできる。
【００２４】
靴磨きシート７を形成する不織布は、例えば極細のポリアミドやポリエステル等の合成繊維をランダムに積層して形成することができ、その繊維層の間隙による高い拭き取り効果により靴表面の汚れを吸着して取り除くと共に、靴表面に艶出しをすることができる。なお靴磨きシート７としてフェルトシートなどを用いることもできる。一方、靴磨きシート７以外の可撓性のシート６は、例えば透明または半透明なポリアミド、ポリエチレン、ポリエステルなどの可撓性のプラスチックシートで形成することができる。
【００２５】
２枚のシート６を合わせて収容袋５を形成する方法としては、熱溶着または接着により２枚のシート６の３つの周縁部を互いに接合する方法がある。不織布とプラスチック、または不織布どうしを熱溶着により接合する場合はその接合部分を加熱具で加熱して該部分を溶融させて接合し、接着により接合する場合はその接合部分を接着剤により接合する。図２（ａ）には帯状の接合部８が点線で示されている。
【００２６】
完成した収容袋５には所望の数の乾燥剤袋１が収容される。本実施形態では図２（ｂ）に示すように、２つ（左右の靴用）の偏平な乾燥剤袋１が積み重ねられて収容されている。
【００２７】
乾燥剤袋１に収容される乾燥剤の量は、靴内部に容易に挿入できる大きさとされ、収容袋５は所望の数の乾燥剤袋１を収容できる内容積を有する。また収容袋５の開口部５ａは、そこに片手もしくは複数の指を挿入して靴を磨ける大きさとされる。なお収容袋５を用いて靴を磨くためには、開口部５ａから少なくとも人差し指、中指および薬指の３本を挿入し、シート６部分をその３本の指の両脇と親指および小指では挟むようにすれば可能である。従って収容袋５の開口部５ａの幅は１０〜１２ｃｍ程度に設定することができ、開口部５ａから底部までの長さは乾燥剤袋１の大きさを考慮すると１４ｃｍ〜１６ｃｍ程度に設定することができる。
【００２８】
以上の実施形態では収容袋５は開口部５ａを有した開放型としているが、開封が可能な閉鎖型としてもよい。閉鎖型の収容袋５を用いる場合は、その内部に乾燥剤袋１を収容した後に、開口部を接合する。そしてその接合部分の内側にミシン目などの容切断部を形成しておき、内部に収容した乾燥剤袋１を取り出す際にその容切断部で収容袋５を開口すればよい。
【産業上の利用可能性】
【００２９】
本考案の靴磨き兼用乾燥剤収容体は、靴用乾燥剤の収容具と靴磨き具を兼ねた携帯型の用具として利用できる。
【図面の簡単な説明】
【００３０】
【図１】本考案の靴磨き兼用乾燥剤収容体を示す斜視図。
【図２】本考案の靴磨き兼用乾燥剤収容体を構成する乾燥剤袋の１例を示す図。
【図３】図２に示す乾燥剤袋１を収容袋５に収容した状態を示す図。
【符号の説明】
【００３１】
１  乾燥剤袋
２  シート
３  袋
４  接合部
５  収容袋
５ａ  開口部
６  シート
７  靴磨きシート
８  接合部
【図１】
0003132618.tif 000003
【図２】
0003132618.tif 000004
【図３】
0003132618.tif 000005